(57)【要約】【課題】骨折、壊疽、片麻痺などにより片手しか使えない人が、片手でインスリン注入器を操作して、インスリンの注射を行えるようにする。片手で、針ケースより注射針を取り付け、取り外しを行う事を可能にする。片手で、針キャップより注射針を取り付け、取り外しを行う事を可能にする。また、インスリン注入器使用者や医療従事者の針刺し事故を予防する。【解決手段】ペン型インスリン注射器の注射針の針ケースおよび針キャップを固定する注入器用補助具を使用することにより、針刺し事故を防止し、片手でインスリン注射を行うことができる。【選択図】図１
2007014615.tif 000002
【特許請求の範囲】
【請求項１】
ペン型インスリン注入器の注射針の針ケースを固定し、注射針を脱着できる内管を持つ注入器用補助具。
【請求項２】
ペン型インスリン注入器の注射針の針キャップを固定し、注射針を脱着できる内管を持つ注入器用補助具。
【請求項３】
請求項１および２に記載の補助具を用いた使用法。
【発明の詳細な説明】
【技術分野】
【０００１】
本発明は、インスリン注入器に関する。
【背景技術】
【０００２】
糖尿病患者で脳血管障害や壊疽の合併が増加してきている。また、高齢者が増え、転倒などによる骨折する患者が増加している。麻痺があったり、片手しかつかえない患者でインスリン注射が必要なことも多い。看護師が注射をすることもあり、その際、他の針よりも誤って針を刺して事故（針刺し事故）を起こしやすい。片手しかつかえない患者は、自己注射導入のためには補助具が必要である。
【０００３】
片麻痺患者用インスリン注入補助器具がいくつか考案されているが、操作、設定が困難である。針刺し事故防止、インスリン自己注射ができるというＱＯＬ改善のため、より簡単で使いやすい補助具の作成が必要である。
【０００４】
従来は、両手で注射針の取り付け、取り外しを行っていた。針ケースをリキャップ（注射針に再びキャップすること）する際、患者、看護師は針で指先を刺すことが多かった。
【発明の開示】
【発明が解決しようとする課題】
【０００５】
骨折、壊疽、片麻痺などにより片手しか使えないため片手でインスリン注入器を操作できず、インスリンの自己注射ができない。インスリン注入器使用者や医療従事者で針刺し事故が発生する。
【０００６】
本発明は、針刺し事故を減らすことができると共に、片麻痺障害のある患者や片手しかつかえない患者の早期自己注射導入の確立やＱＯＬ改善を目的とするものである。
【課題を解決するための手段】
【０００７】
課題解決手段は、次の通りである。特徴として、ペン型インスリン注入器の注射針の針ケースおよび針キャップを固定する穴をもつ。それぞれ穴の中には、管が入っている。針ケース用の管には、針ケースを差し込むことができ、片手でペン型インスリン注入器を抜くことができる構造を持つ。針キャップ用の管には、針キャップを差し込むことができ、片手でペン型インスリン注入器を抜くことができる構造を持つ。
【発明の効果】
【０００８】
片麻痺障害患者や片手しかつかえない患者の早期自己注射導入の確立やＱＯＬ改善することができる。
【０００９】
インスリン注入器使用者の針刺し事故発生を減少させることができる。
【００１０】
構造が簡易で製造が容易であり、強いては製品の品質を確保し、製造コストを軽減するという利点がある。
【発明を実施するための最良の形態】
【００１１】
本発明による補助具は、ペン型インスリン注入器の注射針の針ケースおよび針キャップを固定する開孔部を持つ注入器用補助具であって、以下、添付図面を参照して本発明の好適な実施の形態を説明する。
【実施例１】
【００１２】
図１は、本発明による注入器用補助具の上方よりの外観図で、図２は斜視図である。図中、針ケース固定装置２、針キャップ固定装置３を有する。その内部には、内管を有する。本体は、発泡スチロール製、大きさは、９ｘ５ｘ１ｃｍ。色は、白色。底面には、両面テープが着いており、机、トレイや壁に強力に接着できる。内管は、針ケース用の固定装置と針キャップ用の固定装置に使用される。針ケース用の固定装置２は、外径８ｍｍのゴム製で本体１に接着される。針キャップ用の固定装置３は、外径３ｍｍのゴム製で本体１に接着される。針ケース用の固定装置は、針キャップ用の固定装置を、上面にそれぞれ一個ずつ配する。針ケース用の固定装置２および針キャップ用の固定装置３の色は、青色。
【００１３】
本体１の材質は、木、プラスチック、ウレタン、金属、シリコン、ゴムが使用可能。大きさは、用途に応じ、一人用、二人用、多人数用に大きくする。その他、机、トレイ、壁を本体とすることができる。本体の接着には、両面テープの他、吸盤、ねじや磁石で固定する方法もある。本体の色は用途に応じて、色を変更する。上部に針ケースおよび針キャップ挿入口を持つプラスチック容器をカバー容器とすることができる。本体を大きくし、それぞれ２個ずつ、３個ずつと増やすことができる（図３）。インスリン注射器、注射針が収納できる箱に固定する方法もある。
【００１４】
針ケース用の固定装置２および針キャップ用の固定装置３の材質は、ゴムの他、シリコン、ウレタンやポリピロピレンが使用可能。色は用途に応じて、黒色、赤色、黄色、水色、桃色、緑色に変更する。
【００１５】
本補助具を組み立てる場合は、本体１に針ケースおよび針キャップを固定する穴を開け、その中に内筒を装着する。
【００１６】
注入器用補助具の使用法の一例を示す。ペン型インスリン注入器の注射針の針ケースおよび針キャップを固定する注入器用補助具を机に固定する。注入器用補助具に針ケースを設置する（図４）。インスリン注入器と針ケース中の注射針を接続する（図５）。注入器用補助具よりインスリン注入器を離し、針キャップを針キャップ挿入口に固定する（図６）。針キャップを外す（図７）。インスリン注射終了後、インスリン注入器を設置中の針ケースを接続する（図８）。針ケースに注射針を残しインスリン注入器を外す（図９）。注入器用補助具より針ケース、針キャップを外す（図１０）。
【００１７】
上記は発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の範囲に属するものとする。
【図面の簡単な説明】
【００１８】
【図１】上方よりの外観図
【図２】本発明の一例の斜視図
【図３】針ケース用の固定装置、針キャップ用の固定装置を３個ずつ設置した上方よりの外観図
【図４】注入器用補助具に針ケースを設置した状態を示した図
【図５】インスリン注入器と針ケース中の注射針を接続した状態を示した図
【図６】針キャップを針キャップ挿入口に固定した状態を示した図
【図７】針キャップを外した状態を示した図
【図８】インスリン注入器を設置中の針ケースを接続する状態を示した図
【図９】針ケースに注射針を残しインスリン注入器を外した状態を示した図
【図１０】注入器用補助具より針ケース、針キャップを外した状態を示した図
【符号の説明】
【００１９】
１  本体
２  針ケース固定装置
３  針キャップ固定装置
４  針ケース
５  注射針
６  インスリン注入器
７  針キャップ
【図１】
2007014615.tif 000003
【図２】
2007014615.tif 000004
【図３】
2007014615.tif 000005
【図４】
2007014615.tif 000006
【図５】
2007014615.tif 000007
【図６】
2007014615.tif 000008
【図７】
2007014615.tif 000009
【図８】
2007014615.tif 000010
【図９】
2007014615.tif 000011
【図１０】
2007014615.tif 000012